(57)【要約】【課題】長期間放置しても植物を枯らさず、且つ、腐らせることなく、植物を包装して生育させる。【解決手段】栽培土又は培地に根付いた植物の周囲を覆って内部で前記植物を生育させる樹脂製の植物生育用シートの４０℃、９０％ＲＨにおける透湿度が５５〜１２０ｇ／ｍ２・２４ｈである。【選択図】図２
2017143815.tif 000002
【特許請求の範囲】
【請求項１】
栽培土又は培地に根付いた植物の周囲を覆って内部で前記植物を生育させる樹脂製の植物生育用シートであって、
４０℃、９０％ＲＨにおける透湿度が５５〜１２０ｇ／ｍ２・２４ｈである植物生育用シート。
【請求項２】
所望の透湿度を得るために、多数の微細な貫通孔が設けられている請求項１に記載の植物生育用シート。
【請求項３】
ＰＥＴからなるシートとポリエチレンからなるシートとが積層されたものである請求項１又は２に記載の植物生育用シート。
【請求項４】
請求項１〜３のいずれか一項に記載の１又は複数の植物生育用シートが袋状に形成されている植物生育用袋。
【請求項５】
底部用シートからなる底部を有し、
前記底部により自立可能であり、
前記底部用シートの透湿度は前記植物生育用シートの透湿度より低い値である請求項４に記載の植物生育用袋。
【発明の詳細な説明】
【技術分野】
【０００１】
本発明は、栽培土又は培地に根付いた植物の周囲を覆って内部で前記植物を生育させる樹脂製の植物生育用シート、及び、これから形成した植物生育用袋に関する。
【背景技術】
【０００２】
観賞のために植物を長期間放置しながら生育させることが試みられている。そのためには、植物を根付かせた栽培土や培地に長期間水を保持させることが必要となる。しかし、単に栽培土や培地に水を含ませただけでは、栽培土や培地、そして特に植物の葉面から水分が周囲環境へと蒸発してしまう。そのため、水を栽培土や培地に追加して与えることなくそのまま放置すると、栽培土や培地から水が速やかに失われて、植物に水を与えることができなくなり、その結果、植物は枯れてしまう（図５，表４参照）。
【０００３】
これに対し、栽培土又は培地に根付かせた植物をシートで覆ったり、袋に入れて外部への水分の蒸発を防ぐことが考えられる。この場合、植物を袋に入れて保管することで、植物の葉面、栽培土や培地からの水の蒸発を抑制することはできる。しかし、シートや袋内に水蒸気が過度にこもることとなり、その結果、シートや袋内面に結露が生じて鑑賞性を損ない、さらには、その結露で雑菌が繁殖し、それが植物に感染した結果、植物を腐る等の不具合が起きる（図６，表５参照）。
【０００４】
つまり、植物を単に放置すると、まめに水を補給しなければ速やかに枯れてしまい、一方、植物を袋等にいれて保管すると、水を補給する必要はなくなるが、水分が内部にこもりすぎて見た目が悪くなると共に、植物を腐らせてダメにしてしまう。このように、植物を長期間放置しながら生育させることは困難であった。
【発明の概要】
【発明が解決しようとする課題】
【０００５】
そこで、長期間放置しても植物を枯らさず、且つ、腐らせることなく、植物を内部に収容して生育可能な植物生育用シート、及び、植物生育用袋が望まれる。
【課題を解決するための手段】
【０００６】
本発明に係る植物生育用シートは、
栽培土又は培地に根付いた植物の周囲を覆って内部で前記植物を生育させる樹脂製の植物生育用シートであって、
４０℃、９０％ＲＨにおける透湿度が５５〜１２０ｇ／ｍ２・２４ｈである。
【０００７】
この構成によれば、４０℃、９０％ＲＨにおける透湿度が５５〜１２０ｇ／ｍ２・２４ｈの範囲とすることにより、この植物生育用シートで植物の周囲を覆って植物をその内部に収容することで、例えば図２に示すように、緩やかに水分を外部に放出させることができる。このため、植物の葉面、栽培土や培地からの水の蒸発を抑制して水を栽培土又は培地に適度に保たせつつ、内部に結露が生じるほどの水蒸気がこもらない程度に適度に水蒸気を外部に放出させることが可能となる。その結果、本構成によれば、植物を腐らせたり枯らしたりすることなく、栽培土又は培地に予め含ませた水のみで長期間の保管が可能となる。
【０００８】
１つの態様として、所望の透湿度を得るために、多数の微細な貫通孔が設けられていると好適である。
【０００９】
この構成によれば、５５ｇ／ｍ２・２４ｈ以下の透湿度の樹脂製シートであっても、貫通孔を設けるという後加工により所望の透湿度を得ることができ、素材に限定されることなく植物生育用シートを製造することができる。
【００１０】
１つの態様として、ＰＥＴからなるシートとポリエチレンからなるシートとが積層されたものであると好適である。
【００１１】
この構成によれば、低コストで、且つ、強度（いわゆるコシ）・透明性の高いＰＥＴからなる樹脂製シートと、シートを袋状に成形するために必要なヒートシールを行い易いポリエチレンからなる樹脂製シートとを積層したものとすることで、ヒートシールによって容易に袋状に成形することができるとともに、その強度・透明性から包装時の形状や袋状としたときの形状を好適に保ちつつ内部の植物を良好に観賞できる。
【００１２】
本発明に係る植物生育用袋は、
上記の１又は複数の植物生育用シートが袋状に形成されている。
【００１３】
この構成によれば、上記した本発明に係る植物生育用シートを用いて形成することにより、その内部に植物を収容することで、植物を腐らせたり枯らしたりすることなく、栽培土又は培地に予め含ませた水のみで長期間の保管が可能となる。
【００１４】
１つの態様として、底部用シートからなる底部を有し、前記底部により自立可能であり、前記底部用シートの透湿度は前記樹脂製シートの透湿度より低い値であると好適である。
【００１５】
この構成によれば、他の器具等を用いることなく底部によって自立させることができる。また、栽培土又は培地が接触することになる底部は透湿度を低くしてあるので、栽培土又は培地に含まれる水が底部から漏れ出すことを効果的に抑制できる。
【図面の簡単な説明】
【００１６】
【図１】植物生育用袋の全体図
【図２】実施例の植物生育用袋を用いたときの総重量の変化を示す図
【図３】比較例１の植物生育用袋を用いたときの総重量の変化を示す図
【図４】比較例２の植物生育用袋を用いたときの総重量の変化を示す図
【図５】比較例３の植物生育用袋を用いたときの総重量の変化を示す図
【図６】比較例４の植物生育用袋を用いたときの総重量の変化を示す図
【発明を実施するための形態】
【００１７】
本発明に係る植物生育用シート、及び、植物生育用袋の実施形態について、図面を参照して説明する。図１は、本発明の一実施形態である、植物生育用シートを用いた植物生育用袋１を示す。概要について説明すると、植物生育用シートは、栽培土又は培地に根付いた植物７の周囲を覆って内部で植物７を生育させる樹脂製のシートであり、４０℃、９０％ＲＨにおける透湿度（以下、単に透湿度と称する）が５５〜１２０ｇ／ｍ２・２４ｈであることを特徴としている。そして、本実施形態の植物生育用袋１は、この植物生育用シートが袋状に形成されたものである。より詳しくは、植物生育用袋１には、それぞれ表面２，裏面３、及び、底部４となる３枚の樹脂製シートから形成されており、表面２及び裏面３となる樹脂製シートに植物生育用シートが用いられている。一方、植物生育用袋１は底部４により自立可能となっており、このため、底部４となる底部用シートにはこの透湿度加工は施されておらず、この底部用シートの透湿度は表面２及び裏面３となる樹脂製シートの透湿度より低い値となっている。このように、本実施形態の植物生育用袋１では、表面２及び裏面３が植物生育用シートを用いて形成されており、植物７の周囲を植物生育用シートで覆って内部で植物７を生育させるものとなっている。以下、この本実施形態の植物生育用袋１について具体的に説明する。
〔透湿度〕
まず、本実施形態の植物生育用袋１では、透湿度が５５〜１２０ｇ／ｍ２・２４ｈである植物生育用シートを表面２及び裏面３に用いていることが特徴となっている。透湿度をこの値の範囲内としているのは、透湿度が５５ｇ／ｍ２・２４ｈを下回ると、袋内部に水蒸気が過剰にこもることになり、植物が腐る虞があり、透湿度が１２０ｇ／ｍ２・２４ｈを超えると、袋内の水蒸気が外部に放出されやすく、植物７を根付かせた栽培土又は培地から水が失われるスピードが早くなってしまうため、長期間放置して管理することができなくなるからである。
【００１８】
なお、透湿度は、保管期間に合わせて適宜変更可能である。例えば、透湿度の値が低いほど、袋内の水蒸気が外部に放出されにくくなって栽培土又は培地から水が失われるスピードは遅くなるが、反対に袋内部に水蒸気がこもりやすくなって植物が腐りやすくなってしまう。一方、透湿度の値が高いほど、袋内の水蒸気が外部に放出されやすくなって袋内部に水蒸気がこもりにくいが栽培土又は培地から水が失われるスピードは速くなる。このため、植物をより長期間放置しながら生育させることを目的とするときは、透湿度５５〜１２０ｇ／ｍ２・２４ｈの中央付近の値を採ることが好ましく、したがって、透湿度が６５〜１０５ｇ／ｍ２・２４ｈであると好ましい。また、それほど長期間の放置を予定していない場合には、透湿度５５〜１２０ｇ／ｍ２・２４ｈの上限や下限付近としてもよい。なお、透湿度はＪＩＳ  Ｚ−０２０８により測定することができる。
【００１９】
〔透湿度加工〕
本実施形態では、表面２及び裏面３となる植物生育用シートに、所望の透湿度を得るために、透湿度加工として、多数の微細な貫通孔が設けられている。この貫通孔の大きさや数密度を調整することにより、所望の透湿度を得ることができる。その方法としては、例えば、特公平６−６１８５９号公報に開示された装置のように、ローラーの表面に多数の硬い粒子を付着し、そのローラーを樹脂製シートに押し当てた状態でローラーを転がすことによって、樹脂製シートに多数の微細な貫通孔を設けることができる。これにより、５５ｇ／ｍ２・２４ｈ以下の透湿度の樹脂製シートであっても、貫通孔を設けるという後加工により所望の透湿度を得ることができ、素材に限定されることなく好適な植物生育用シートを製造することができる。
【００２０】
なお、上記した範囲の透湿度を得る方法は多数の微細な貫通孔を設ける方法に限られず、適宜選択して用いることができる。また、このような透湿度加工を行うことなく、製造時から上記した範囲の透湿度となる樹脂製シートを植物生育用シートとして用いてもよい。
【００２１】
〔植物生育用袋の構造〕
本実施形態の植物生育用袋１は、上記のようにして所望の透湿度となった２枚の植物生育用シートを表面２及び裏面３とし、その２枚の植物生育用シートと上記の透湿度加工を行っていない底部用樹脂製シートとが互いに貼り合わされて、いわゆるスタンディングパウチ構造で形成されている。スタンディングパウチ構造とするには公知の方法を用いればよく、詳細な説明は省略するが、具体的には、表面２及び裏面３となる植物生育用シートを重ねあわせると共に、両樹脂製シートの下側に折り込みを入れた底部用樹脂製シートを挟み込み、その側辺と底辺部分をヒートシール５により貼りあわせてある。このように構成することで、底部４により自立可能なスタンディングパウチ構造となっている。そして、開放された状態の上部から対象の植物を袋内部に入れ、その後、上部の適当箇所をヒートシール等により貼りあわせることで袋内部がヒートシール５によって密閉された状態となり、完成する。
【００２２】
このように袋内部が密閉された状態にあるため、水蒸気が発生したときは、表面２及び裏面３の透湿度に応じて水蒸気が外部に放出されることとなる。また、底部４により自立可能となっているため、自立した状態で陳列させたり、自宅等で観賞することが可能となっている。上部のヒートシール５の上側にはパンチ穴６も開けてあり、パンチ穴６により吊り下げた状態で陳列させたり、また観賞することもできる。その他、底部４となる底部用シートには透湿度加工は施さず、底部用シートの透湿度は植物生育用シートの透湿度より低い値としてあるので、栽培土又は培地に含まれる水が底部４から漏れ出すことを効果的に抑制できる。つまり、本実施形態の植物生育用袋１では、袋内部には栽培土又は培地に根付いた植物を収容し、このとき、植物を根付かせ栽培土又は培地は水を含ませた状態とするのであるが、栽培土又は培地が接触する底部４について透湿度を低くすることで、栽培土又は培地に含まれる水が底部から漏れ出すことを効果的に抑制してある。
【００２３】
なお、各樹脂製シートは必ずしもヒートシール５によって貼りあわせる必要はなく、他の適当な手段を用いて貼りあわせてもよい。例えば、袋内部をヒートシール５によって密閉された状態とするのではなく、図１においてヒートシールとしている一部をチャックなどの開閉機構に置き換えるなど、植物生育用袋１を開閉可能な開閉機構を設け、必要時にその開閉機構を開けて、内部の植物を取り出して、植物の栽培土又は培地に水を追加補給可能にしてもよい。その他、植物の栽培土又は培地に水を追加供給するためのスポイトの先端を袋内部に挿入可能な差し込み孔を植物生育用袋１の任意箇所に設けてもよい。この場合、差し込み孔を閉鎖可能な蓋部も併せて設けるとよい。
【００２４】
そのほか、本実施形態の植物生育用袋１は必ずしもスタンディングパウチ構造である必要はなく、透湿度が５５〜１２０ｇ／ｍ２・２４ｈである植物生育用シートを用いて袋状に形成されるものであれば、どのような形状であってもよく、例えば、２枚の植物生育用シートをその端縁で貼りあわせたり、１枚の植物生育用シートを折り返して重ねあわせた端縁を貼りあわせて形成してもよい。また、底部４については透湿度加工が施されていないものとする必要もなく、底部４についても透湿度が５５〜１２０ｇ／ｍ２・２４ｈである植物生育用シートから形成されるようにしてもよい。
【００２５】
次に、本実施形態の植物生育用シートに用いる素材について説明する。本実施形態では、植物生育用シートとしてＰＥＴからなるシートとポリエチレンからなるシートとが積層された積層シートが用いられている。また、底部用樹脂製シートも同様にＰＥＴからなるシートとポリエチレンからなるシートとが積層された積層シートが用いられている。そして、表面２、裏面３に用いる積層シートについては上記の透湿度加工を施して植物生育用シートとし、底部４に用いる積層シートについては上記の透湿度加工を施していない。
【００２６】
このように、低コストで、且つ、強度（いわゆるコシ）・透明性の高いＰＥＴからなるシートと、シートを袋状に成形するために必要なヒートシールを行い易いポリエチレンからなるシートとを積層した樹脂製シートを用いることで、ヒートシールによって容易に袋状に成形することができるとともに、その強度・透明性から包装時の形状や袋状としたときの形状を好適に保ちつつ内部の植物を良好に観賞できる。
【００２７】
なお、植物生育用シートや底部用樹脂製シートの素材はこれに限定されることはなく、その他、ポリエステル、ナイロン、セロハンなどを単独で、又はこれらを組み合わせて積層させたものを用いてもよい。
【００２８】
また、本実施形態の植物生育用袋１に用いる植物は、切り花や収穫後の青果物などを対象とするのではなく、栽培土又は培地に根付いた状態にあり現に生きて呼吸や蒸散を行う植物を対象としている。そして、植物生育用袋１内で栽培土又は培地に根付かせて生育可能であれば特に限定されず、例えば、プテオラータ、テーブル椰子、ポトス、ポトスライム、オキシブラジル、サンデリアーナ、ベゴニア等の一般観葉植物、花苗、野菜苗などが挙げられる。培地についても特に限定されず、保水スポンジなど適宜自由に選択可能であり、また、小型の植木鉢等の容器を用いてその容器内で栽培土に植物を根付かせ、容器ごと本実施形態の植物生育用袋１に収容するようにしてもよい。
【００２９】
〔実施例〕
次に、本実施形態の植物生育用袋１を実際に用いた実施例について説明する。図２は、培地の一例としてのパフカル（登録商標、サントリーホールディングス株式会社）に種々の植物を根付かせ、パフカルに十分量の水を含ませた状態でそれぞれ本実施形態の植物生育用袋１に収容して、そのまま水を補給することなく放置したときの全体の重量（袋を除く）の時間変化を示す。植物生育用袋１に用いた各植物生育用シートの透湿度は、平均値がおよそ７９ｇ／ｍ２・２４ｈ（最小はおよそ６８ｇ／ｍ２・２４ｈで最大がおよそ１００ｇ／ｍ２・２４ｈ）となっている。なお、表面２及び裏面３における袋部分（いわば、ヒートシール５の内側部分）の寸法はそれぞれ１４５ｍｍ×３００ｍｍであり、植物生育用袋１あたりの水蒸気透過量はおよそ６．８ｇ／２４ｈ（７９ｇ／ｍ２・２４ｈ×０．１４５ｍ×０．３００ｍ×２）となる。
【００３０】
まず、図２に示すように、本実施形態の植物生育用袋１を用いることで、緩やかに全体の重量が減少していることがわかる。これは、植物生育用袋１から緩やかなペースで水蒸気が外部に逃げていっていることを示す。そして、次の表１に、各植物についての状態の変化を示す。○は植物や袋内に変化が特に変化が生じていないことを示し、×は植物又は袋内に何らかの異常が生じたことを示す。
【００３１】
【表１】
2017143815.tif 000003
【００３２】
表１から明らかなように、ポトスを除けば、４１日経過時点も植物や袋内になんらの異常を生じていない。また、ポトスについては４１日経過時点に枯葉が生じているが、その前では植物や袋内になんらの異常を生じていない。このように、本実施形態の植物生育用袋１では、図２に示すように緩やかに水蒸気を外部に逃がすことができるため、袋内部の湿度を結露の生じさせることのない適度な湿度に保つことができ、また、適度な湿度に保つことにより、水を補給することなく放置したときでもパフカル（即ち、栽培土や培地）に水を長期間保つことができ、少なくとも３０〜４０日間の長期保存が可能になっている。
【００３３】
〔比較例１〕
比較例１として、本実施形態の植物生育用袋１に対する裏面３に実施例とおなじ植物生育用シートを用い、表面２となる樹脂製シートについては透水度加工を施さなかったシートを用いた植物生育用袋による例について説明する。なお、表面２となる樹脂製シートの透湿度はおよそ７．１ｇ／ｍ２・２４ｈであった。図３は、実施例と同様に、パフカルに種々の植物を根付かせ、パフカルに十分量の水を含ませた状態で、本比較例１の植物生育用袋に収容してそのまま水を補給することなく放置したときの全体の重量（袋を除く）の時間変化を示す。
【００３４】
図３から明らかなように、図２（実施例）よりも、各植物について総重量の時間変化が小さく、即ち、袋内から水蒸気があまり逃げて行っていないことがわかる。次の表２に、各植物についての状態の変化を示す。
【００３５】
【表２】
2017143815.tif 000004
【００３６】
表２から明らかなように、テーブル椰子を除けば、２８日経過時点に葉の表面に水滴が生じ始めるか、さらには葉が黄色に変色してしまっているなど、何らかの異常が生じてしまっていることがわかる。
【００３７】
〔比較例２〕
比較例２として、実施例のものより透湿度の低い樹脂製シートを同形状に形成した植物生育用袋を用いた例を説明する。比較例２に用いた各樹脂製シートの透湿度は、平均値がおよそ４３ｇ／ｍ２・２４ｈ（最小はおよそ３５ｇ／ｍ２・２４ｈで最大がおよそ５３ｇ／ｍ２・２４ｈ）であった。図４は、パフカルにプテオラータを根付かせ、パフカルに十分量の水を含ませた状態で、本比較例２の植物生育用袋に収容してそのまま水を補給することなく放置したときの全体の重量（袋を除く）の時間変化を示す。
【００３８】
図４から、図２（実施例）よりも総重量の時間変化が小さく、即ち、袋内から水蒸気があまり逃げて行っていないことがわかる。次の表３に、プテオラータについての状態の変化を示す。
【００３９】
【表３】
2017143815.tif 000005
【００４０】
表３から明らかなように、１７日経過時点で枯葉が一枚生じ、さらに、２８日経過時点でもう一枚枯葉が生じた。このように、実施例のものより透湿度の低い樹脂製シートを用いることにより、植物に異常が生じてしまっていることがわかる。
【００４１】
〔比較例３〕
比較例３として、実施例のように植物を袋に包装することなくそのまま放置した例について説明する。図５は、水を含ませたパフカルに植物（ベゴニア、サンデリーナ）を根付かせたものをそのまま水を補給することなく放置したときの全体の重量の時間変化を示す。図５から明らかなように、３，４日経過した時点でいずれも苗の総重量が底をついた状態になっている。そして、表３に、各植物についての状態の変化を示す。
【００４２】
【表４】
2017143815.tif 000006
【００４３】
表４から明らかなように、３，４日経過した時点で植物が枯死してしまっている。つまり、３，４日経過した時点の苗の総重量が底をついた状態とは、水分が植物と保水スポンジからほぼなくなって枯れた状態になったこと（つまり、保水スポンジ自体の重量と植物の繊維部分の重量のみ）を意味しており、外部に野ざらしで放置すると、栽培土又は培地から水が速やかに失われ、その結果、植物も枯れてしまうことがわかる。
【００４４】
〔比較例４〕
比較例４として、表面２及び裏面３に用いるシートにいずれも透湿度加工を施さなかった例について説明する。図６は、図５と同様の苗を透湿度加工をしていない樹脂製シート（比較例１に用いたものと同じもので透水度は７．１ｇ／ｍ２・２４ｈ）からなる袋に入れて密閉した状態にして水を補給することなく放置したときの苗の全体の重量の時間変化を示し、表５は各植物についての状態の変化を示す。
【００４５】
【表５】
2017143815.tif 000007
【００４６】
図６から明らかなように、袋に入れて保管することで苗の総重量の変化を抑制できており、外部への水分の蒸発が防がれていることがわかる。ただし、この場合、ある程度の時間がたつと袋の内表面が曇りだし、やがてシートや袋内面に結露が生じ出してしまい、表５に示すように、その結露によって２週間以内には植物が腐り出す等の現象が起こる。つまり、植物を袋に入れて保管することで、植物の葉面、栽培土又は培地からの水の蒸発を抑制することはできるが、その分袋内に水蒸気が過度にこもってしまい、シートや袋内面に結露が生じて鑑賞性を損ない、さらには、その結露で雑菌が繁殖し、それが植物に感染した結果、植物を腐る等の不具合が起きる。
【００４７】
このように、本実施形態の植物生育用袋１では、底部４を除く表面２及び裏面３が、透湿度が５５〜１２０ｇ／ｍ２・２４ｈである２枚の植物生育用シートを用いて形成されているため、その内部に収容する植物につき、水を補給することなく放置したときでも栽培土や培地に水を長期間保つことができ、少なくとも３０〜４０日間の長期保存が可能になっている。そして、この場合、３０〜４０日間おきに植物７の栽培土や培地に水を与えるようにすれば、さらに保存可能期間を延ばすことができる。
【００４８】
また、本実施形態の植物生育用袋１は種々の形態で使用することができる。まず、水を与えることなく長期保存が可能であるため、観賞用として、植物を長期間放置しながら生育させるのに用いることができる。また、長期輸送させる場合など、植物を流通させる用途で用いても好適である。その他にも、長期の外出の際の保管用に用いても好適であり、例えば、平常時は植物生育用袋１に収容することなく植物を育てておき、長期（一か月）の外出の際に植物を植物生育用袋１に収容するといった形態で使用することもできる。
【００４９】
そのほか、上記では植物生育用シートを袋状にした植物生育用袋１について説明したが、植物生育用袋に成形することなく植物生育用シートの状態で使用することもできる。つまり、栽培土又は培地に根付いた植物をそのまま植物生育用シートでその周囲を覆って内部で植物を生育させる形態で使用することも可能であり、例えば鉢に植えた状態の植物をそのまま植物生育用シートで周囲を覆って包装するようにしてもよい。
【００５０】
また、本実施形態の植物生育用袋１は、種々の大きさの植物に用いることができる。つまり、植物の大きさが大きい（小さい）ほど、植物や植物が根付いている栽培土や培地からの水蒸気の放出量も大きく（小さく）なるが、植物が大きい（小さい）分だけその植物の周囲を覆うのに使用する植物生育用シートも多く必要になって、その分だけ用いる植物生育用シートから放出される総水蒸気透過量（ｇ／２４ｈ）も大きく（小さく）なって、結果的に植物側からの水蒸気の放出量と植物生育用シートから放出される総水蒸気透過量との間の均衡も保たれる。このように、植物の大きさが変わっても、結果的に、植物側からの水蒸気の放出量と植物生育用シートからの水蒸気の透過量との間の均衡が保たれるため、水を与えることなく長期保存が可能となる。
【００５１】
本実施形態の植物生育用シートにおける５５〜１２０ｇ／ｍ２・２４ｈという透湿度は、基本的には植物の大きさに応じた適切な範囲を覆うように用いることを想定したものであり、植物の輸送や観賞に適した範囲を植物生育用シートで覆うようにすれば、用いる植物生育用シート全体でみたときの水蒸気の透過量（ｇ／２４ｈ）（用いる植物生育用シートの表面積（ｍ２）×透湿度（ｇ／ｍ２・２４ｈ））が、対象の植物側から放出される水蒸気の量に対して特に適切な値になり、より好適な結果を発揮することができる。
【００５２】
なお、本実施形態では、植物生育用シートの透湿度に着目したものとなっているが、植物生育用袋１当たりの水蒸気透過量や植物の周囲を覆うのに用いる植物生育用シート全体の水蒸気透過量に主点を置いて、水蒸気透過量という観点から植物生育用袋１を作成したり、植物の周囲を覆うのに用いる植物生育用シートの種類や使用する面積を決定するようにしてもよい。例えば、実施例の植物育成用袋１（１４５ｍｍ×３００ｍｍのシートを両面に用いたもの）と同程度かそれに近い大きさの袋、又はシートを作成する場合には、５５〜１２０ｇ／ｍ２・２４ｈという透湿度の範囲に対応する範囲として、４．８〜１０．５ｇ／２４ｈという値の水蒸気透過量となるように製造してもよい。
【００５３】
本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００５４】
本発明は、栽培土又は培地に根付いた植物の周囲を覆って内部で植物を生育させるのに利用することができる。
【符号の説明】
【００５５】
１      植物生育用袋
４      底部
７      植物
【図１】
2017143815.tif 000008
【図２】
2017143815.tif 000009
【図３】
2017143815.tif 000010
【図４】
2017143815.tif 000011
【図５】
2017143815.tif 000012
【図６】
2017143815.tif 000013